【事件の表示】
　特許第３０３５６２０号「ケ−ブル吊り下げ用螺旋状支持具の施工方法」の請求項１、２に係る特許に対する特許異議の申立てについて、次のとおり決定する。
【結　論】
　訂正を認める。
　特許第３０３５６２０号の請求項１、２に係る特許を維持する。
【理　由】
１．手続の経緯
　本件特許第３０３５６２０号の請求項１、２に係る発明についての出願は、平成７年８月３０日に特許出願され、平成１２年２月２５日にその発明について特許権の設定登録がなされ、その後、道家邦博により特許異議の申立てがなされ、取消理由通知がなされ、その指定期間内である平成１３年４月６日に訂正請求がなされたものである。
　
２．訂正の適否についての判断
ア．訂正の内容
　平成１３年４月６日の訂正請求書全体から見て訂正事項は以下のとおりである。
（ａ）訂正事項ａ
　平成１１年９月９日付け手続補正書の第２頁第２行乃至第１９行（本件特許公報第１頁第１欄第２行乃至第２欄第１２行）に記載の特許請求の範囲の請求項１に係る記載を下記のように訂正する。
　「【請求項１】　電柱間に張設したメッセンジャーワイヤ一にケーブルを吊り下げる次の工程から構成されたケーブル吊り下げ用螺旋状支持具の施工方法。
（１）一方の電柱付近において、上記メッセンジャーワイヤーに吊り下げられた先導滑車に、引綱の先端及び上記メッセンジャーワイヤーの外径とケーブルの外径との和よりも大きい内径を有し、かつ上記電柱間の距離よりも短い長さの上記螺旋状支持具の先端を結合する工程、
（２）上記螺旋状支持具に、上記メッセンジャーワイヤーと引綱とを挿通させるべく上記螺旋状支持具を上記メッセンジャーワイヤーと引綱に巻回しながら装着し他方の電柱側に押し出す工程、
（３）上記押し出す工程で押し出された上記螺旋状支持具の後端に、次の螺旋状支持具の先端をジョイントスリーブで結合する工程、
（４）先行の螺旋状支持具と同様に、上記メッセンジャーワイヤーと引綱とが次の上記螺旋状支持具に挿通されるように、順次各螺旋状支持具を上記ジョイントスリーブで結合しながら上記メッセンジャーワイヤーと引綱に巻回して押し出す工程、
（５）上記先導滑車が他方の電柱に達した状態で、最初と最後の上記螺旋状支持具を上記メッセンジャーワイヤーに固定するとともに、上記先導滑車から上記引綱と上記螺旋状支持具を外す工程、
（６）上記ー方の電柱付近において、ケーブルの先端を上記引綱に結合し上記引綱を巻き上げ上記ケーブルを上記螺旋状支持具の中へ引き込む工程。」
（ｂ）訂正事項ｂ
　平成１１年９月９日付け手続補正書の第２頁第１行乃至第２３行（本件特許公報第２頁第３欄第３５行乃至第４欄第１１行）に記載の「本発明は、…引き込む工程。」を下記のように訂正する。
　「本発明は、電柱間に張設したメッセンジャーワイヤーにケーブルを吊り下げる吊り下げ用螺旋状支持具の施工方法を次の工程から構成して課題解決の手段としている。
（１）一方の電柱付近において、上記メッセンジャーワイヤーに吊り下げられた先導滑車に、引綱の先端及び上記メッセンジャーワイヤーの外径とケーブルの外径との和よりも大きい内径を有し、かつ上記電柱間の距離よりも短い長さの上記螺旋状支持具の先端を結合する工程、
（２）上記螺旋状支持具に、上記メッセンジャーワイヤーと引綱とを挿通させるべく上記螺旋状支持具を上記メッセンジャーワイヤーと引綱に巻回しながら装着し他方の電柱側に押し出す工程、
（３）上記押し出す工程で押し出された上記螺旋状支持具の後端に、次の螺旋状支持具の先端をジョイントスリーブで結合する工程、
（４）先行の螺旋状支持具と同様に、上記メッセンジャーワイヤーと引綱とが次の上記螺旋状支持具に挿通されるように、順次各螺旋状支持具を上記ジョイントスリーブで結合しながら上記メッセンジャーワイヤーと引綱に巻回して押し出す工程、
（５）上記先導滑車が他方の電柱に達した状態で、最初と最後の上記螺旋状支持具を上記メッセンジャーワイヤーに固定するとともに、上記先導滑車から上記引綱と上記螺旋状支持具を外す工程、
（６）上記一方の電柱付近において、ケーブルの先端を上記引綱に結合し上記引綱を巻き上げ上記ケーブルを上記螺旋状支持具の中へ引き込む工程。」
ウ．訂正の目的の適否、新規事項の有無及び拡張・変更の存否
（ａ）訂正事項ａについて
　上記訂正事項ａは、不明瞭な記載でありかつ誤記「上記ワイヤー」を含む「メッセンジャーワイヤーの直径と上記ワイヤーの直径との和よりも大きい内径を有し…短い長さの上記螺旋状支持具」を、特許明細書の発明の詳細な説明の段落【０００８】の記載「またこの螺旋状支持具８の螺旋内径Ｄは、図５に示すように、メッセンジャーワイヤー２の外径ｄとケーブル１９の外径ｄ’の和より大きくしており」に基づいて、「メッセンジャーワイヤーの外径とケーブルの外径との和よりも大きい内径を有し…短い長さの上記螺旋状支持具」と訂正し、また、不明瞭な記載である「同螺旋状支持具を旋回させながら押し出す」を、特許明細書の発明の詳細な説明の段落【００１０】の記載「引綱６の先端７と螺旋状支持具８の一端９を先導滑車１０に結合した次の手順としては、螺旋状支持具８をメッセンジャーワイヤー２と引き綱６に巻回しながら装着し、他方の電柱１ｂ側に移送する。」に基づいて、「上記螺旋状支持具を上記メッセンジャーワイヤーと引綱に巻回しながら装着し他方の電柱側に押し出す」と訂正し、更に、不明瞭な記載である「順次各螺旋状支持具を…旋回させて押し出す」を、特許明細書の発明の詳細な説明の段落【００１０】の記載「螺旋状支持具８をメッセンジャーワイヤー２と引き綱６に巻回しながら装着し、他方の電柱１ｂ側に移送する。」に基づいて、「順次各螺旋状支持具を…上記メッセンジャーワイヤーと引綱に巻回して押し出す」と訂正するものである。
　したがって、この訂正は、誤記の訂正及び明瞭でない記載の釈明を目的とするものであり、願書に最初に添付した明細書に記載した事項の範囲内の訂正であり、実質上特許請求の範囲を拡張し又は変更するものではない。
（ｂ）訂正事項ｂについて
　訂正事項ｂは、訂正事項ａの特許請求の範囲の請求項１の訂正との整合性を図るため、【発明が解決しようとする手段】の欄の課題解決の手段に関する記載を上記請求項１の訂正に整合させる訂正を行うものである。
　したがって、この訂正は、明瞭でない記載の釈明を目的とするものであり、願書に最初に添付した明細書に記載した事項の範囲内の訂正であり、実質上特許請求の範囲を拡張し又は変更するものではない。
エ．むすび
　以上のとおりであるから、上記訂正は、特許法第１２０条の４第２項及び同条第３項において準用する同法第１２６条第２、３項の規定に適合するので、当該訂正を認める。
　
４．特許異議の申立についての判断
ア．特許異議申立人の理由の概要
　特許異議申立人道家邦博は、本件請求項１、２に係る特許は、その明細書が特許法第３６条第４項又は第６項に規定する要件を満たしていない特許出願に対してなされたものであり、仮に満たしているとしても、本件請求項１、２に係る発明は、いずれも特許法第２９条第１項本文の「産業上利用することができる発明」に該当しないものであるから、本件請求項１、２に係る特許は取り消されるべき旨主張している。
イ．本件特許明細書
　本件請求項１、２に係る特許に添付された明細書は、平成１３年４月６日付けの訂正明細書のとおりのものである。
ウ．本件特許発明
　本件請求項１、２に係る発明は、訂正明細書の特許請求の範囲の請求項１、２に記載された次のとおりのものである。
【請求項１】　電柱間に張設したメッセンジャーワイヤ一にケーブルを吊り下げる次の工程から構成されたケーブル吊り下げ用螺旋状支持具の施工方法。
（１）一方の電柱付近において、上記メッセンジャーワイヤーに吊り下げられた先導滑車に、引綱の先端及び上記メッセンジャーワイヤーの外径とケーブルの外径との和よりも大きい内径を有し、かつ上記電柱間の距離よりも短い長さの上記螺旋状支持具の先端を結合する工程、
（２）上記螺旋状支持具に、上記メッセンジャーワイヤーと引綱とを挿通させるべく上記螺旋状支持具を上記メッセンジャーワイヤーと引綱に巻回しながら装着し他方の電柱側に押し出す工程、
（３）上記押し出す工程で押し出された上記螺旋状支持具の後端に、次の螺旋状支持具の先端をジョイントスリーブで結合する工程、
（４）先行の螺旋状支持具と同様に、上記メッセンジャーワイヤーと引綱とが次の上記螺旋状支持具に挿通されるように、順次各螺旋状支持具を上記ジョイントスリーブで結合しながら上記メッセンジャーワイヤーと引綱に巻回して押し出す工程、
（５）上記先導滑車が他方の電柱に達した状態で、最初と最後の上記螺旋状支持具を上記メッセンジャーワイヤーに固定するとともに、上記先導滑車から上記引綱と上記螺旋状支持具を外す工程、
（６）上記ー方の電柱付近において、ケーブルの先端を上記引綱に結合し上記引綱を巻き上げ上記ケーブルを上記螺旋状支持具の中へ引き込む工程。
【請求項２】　上記先導滑車は、上記メッセンジャーワイヤー上を転動するローラー滑車と上記引綱の先端を把持するサドルと上記螺旋状支持具の先端を把持するホルダーとを搭載し、下部にウエイトを吊着したものである請求項１に記載のケーブル吊り下げ用螺旋状支持具の施工方法。
エ．判断
　特許異議申立人道家邦博は、「本件請求項１、２の発明は、先にみてきた通り、「螺旋状支持具を旋回させながら押し出す工程」を必修要件としているのである。」と指摘した上で、「然るに、実施例の先導滑車は螺旋状支持具８を結合する点において請求項発明と同じくするとしても「錘２２が吊着されているので、先導滑車１０は安定して反転しないように保たれる構造となっている」のであって、該先導滑車１０に結合した螺旋状支持具８を旋回しようとして旋回（反転）できないのである。」と指摘している。
　しかしながら、訂正された本件請求項１、２に係る発明は、上記４．ウ．記載のとおり、「螺旋状支持具を上記メッセンジャーワイヤーと引綱に巻回しながら装着し他方の電柱側に押し出す」ものであり、「螺旋状支持具を旋回させながら押し出す」ものではなく、先導滑車１０を反転させるものではないことは明らかである。
　したがって、本件請求項１、２に係る特許が、その明細書が特許法第３６条第４項又は第６項に規定する要件を満たしていない特許出願に対してなされたものであるとすることはできない。
　特許異議申立人道家邦博は、さらに、請求項１、２に係る発明では、「先導滑車は螺旋状支持具の先端と結合したものであるから、施工時に螺旋状支持具の旋回と同時に旋回することになる」旨を指摘した上で、「然るに、明細書の段落「００２２」（発明の効果）には、前記の通り「先導滑車を使用することで、螺旋状支持具施工時の反転や、引綱とメッセンジャーワイヤーのクロス現象を完全に防止できた」としているのであって、斯様な効果を期待する（目的を達成する）には、前記の構成では実施不可能である。」と指摘している。
　しかしながら、上記したとおり、訂正された本件請求項１、２に係る発明は、先導滑車１０を反転させるものではなく、明細書の段落００２２に記載された効果を奏するものと認められる。
　したがって、本件請求項１、２に係る発明が、いずれも特許法第２９条第１項本文の「産業上利用することができる発明」に該当しないものであるとすることもできない。
オ．むすび
　以上のとおりであるから、特許異議申立ての理由及び証拠によっては、本件請求項１、２に係る特許を取り消すことはできない。
　また、他に本件請求項１、２に係る特許を取り消すべき理由を発見しない。
　よって、結論のとおり決定する。
【異議決定日】
平成１３年５月１８日（２００１．５．１８）
【訂正の要旨】
訂正の趣旨
（ａ）訂正事項ａ
　平成１１年９月９日付け手続補正書の第２頁第２行乃至第１９行（本件特許公報第１頁第１欄第２行乃至第２欄第１２行）に記載の特許請求の範囲の請求項１に係る記載を、誤記の訂正及び明瞭でない記載の釈明を目的として、下記のように訂正する。
　「【請求項１】電柱間に張設したメッセンジャーワイヤーにケーブルを吊り下げる次の工程から構成されたケーブル吊り下げ用螺旋状支持具の施工方法。
（１）一方の電柱付近において、上記メッセンジャーワイヤーに吊り下げられた先導滑車に、引綱の先端及び上記メッセンジャーワイヤーの外径とケーブルの外径との和よりも大きい内径を有し、かつ上記電柱間の距離よりも短い長さの上記螺旋状支持具の先端を結合する工程、
（２）上記螺旋状支持具に、上記メッセンジャーワイヤーと引綱とを挿通させるべく上記螺旋状支持具を上記メッセンジャーワイヤーと引綱に巻回しながら装着し他方の電柱側に押し出す工程、
（３）上記押し出す工程で押し出された上記螺旋状支持具の後端に、次の螺旋状支持具の先端をジョイントスリーブで結合する工程、
（４）先行の螺旋状支持具と同様に、上記メッセンジャーワイヤーと引綱とが次の上記螺旋状支持具に挿通されるように、順次各螺旋状支持具を上記ジョイントスリーブで結合しながら上記メッセンジャーワイヤーと引綱に巻回して押し出す工程、
（５）上記先導滑車が他方の電柱に達した状態で、最初と最後の上記螺旋状支持具を上記メッセンジャーワイヤーに固定するとともに、上記先導滑車から上記引綱と上記螺旋状支持具を外す工程、
（６）上記一方の電柱付近において、ケーブルの先端を上記引綱に結合し上記引綱を巻き上げ上記ケーブルを上記螺旋状支持具の中へ引き込む工程。」
（ｂ）訂正事項ｂ
　平成１１年９月９日付け手続補正書の第２頁第１行乃至第２３行（本件特許公報第２頁第３欄第３５行乃至第４欄第１１行）に記載の「本発明は、…引き込む工程。」を、明瞭でない記載の釈明を目的として、下記のように訂正する。
　「本発明は、電柱間に張設したメッセンジャーワイヤーにケーブルを吊り下げる吊り下げ用螺旋状支持具の施工方法を次の工程から構成して課題解決の手段としている。
（１）一方の電柱付近において、上記メッセンジャーワイヤーに吊り下げられた先導滑車に、引綱の先端及び上記メッセンジャーワイヤーの外径とケーブルの外径との和よりも大きい内径を有し、かつ上記電柱間の距離よりも短い長さの上記螺旋状支持具の先端を結合する工程、
（２）上記螺旋状支持具に、上記メッセンジャーワイヤーと引綱とを挿通させるべく上記螺旋状支持具を上記メッセンジャーワイヤーと引綱に巻回しながら装着し他方の電柱側に押し出す工程、
（３）上記押し出す工程で押し出された上記螺旋状支持具の後端に、次の螺旋状支持具の先端をジョイントスリーブで結合する工程、
（４）先行の螺旋状支持具と同様に、上記メッセンジャーワイヤーと引綱とが次の上記螺旋状支持具に挿通されるように、順次各螺旋状支持具を上記ジョイントスリーブで結合しながら上記メッセンジャーワイヤーと引綱に巻回して押し出す工程、
（５）上記先導滑車が他方の電柱に達した状態で、最初と最後の上記螺旋状支持具を上記メッセンジャーワイヤーに固定するとともに、上記先導滑車から上記引綱と上記螺旋状支持具を外す工程、
（６）上記一方の電柱付近において、ケーブルの先端を上記引綱に結合し上記引綱を巻き上げ上記ケーブルを上記螺旋状支持具の中へ引き込む工程。」
（５４）【発明の名称】
ケーブル吊り下げ用螺旋状支持具の施工方法
（５７）【特許請求の範囲】
　【請求項１】　電柱間に張設したメッセンジャーワイヤーにケーブルを吊り下げる次の工程から構成されたケーブル吊り下げ用螺旋状支持具の施工方法。
（１）一方の電柱付近において、上記メッセンジャーワイヤーに吊り下げられた先導滑車に、引綱の先端及び上記メッセンジャーワイヤーの
外径
ケーブルの外径
（２）上記螺旋状支持具に、上記メッセンジャーワイヤーと引綱とを挿通させるべく上記螺旋状支持具を
上記メッセンジャーワイヤーと引綱に巻回しながら装着し他方の電柱側に
（３）上記押し出す工程で押し出された上記螺旋状支持具の後端に、次の螺旋状支持具の先端をジョイントスリーブで結合する工程、
（４）先行の螺旋状支持具と同様に、上記メッセンジャーワイヤーと引綱とが次の上記螺旋状支持具に挿通されるように、順次各螺旋状支持具を上記ジョイントスリーブで結合しながら
上記メッセンジャーワイヤーと引綱に巻回して
（５）上記先導滑車が他方の電柱に達した状態で、最初と最後の上記螺旋状支持具を上記メッセンジャーワイヤーに固定するとともに、上記先導滑車から上記引綱と上記螺旋状支持具を外す工程、
（６）上記一方の電柱付近において、ケーブルの先端を上記引綱に結合し上記引綱を巻き上げ上記ケーブルを上記螺旋状支持具の中へ引き込む工程。
　【請求項２】　上記先導滑車は、上記メッセンジャーワイヤー上を転動するローラー滑車と上記引綱の先端を把持するサドルと上記螺旋状支持具の先端を把持するホルダーとを搭載し、下部にウエイトを吊着したものである請求項１記載のケーブル吊り下げ用螺旋状支持具の施工方法。
【発明の詳細な説明】
　【０００１】
　【発明の属する技術分野】
　本発明は、ケーブルをメッセンジャーワイヤーに吊り下げるためのケーブル吊り下げ用螺旋状支持具の施工方法に関するものである。
　【０００２】
　【従来の技術】
　従来、メッセンジャーワイヤーにケーブルを吊り下げ固定する方法として、図９に示すようなハンガー方式によるものが多く使用されている。その手順は図１０に示すように、電柱１０１ａ，１０１ｂ間に予め張設されたメッセンジャーワイヤー１０２に、先ず金車１２８を取り付ける。その後、引綱１０６を金車１２８に通してウインチ１０３に接続した後、引綱１０６に連結したケーブル１１９を巻き上げて電柱間に引き入れる。その後、金車１２８を外しながら、図９に示すハンガー１０８…１０８を５０〜６０ｃｍ毎に取り付ける。しかしこれ等の作業は全て電柱１０１ａ〜１０１ｂ間に作業員１０４が宙吊りなって行う（宙乗り作業という）ものであるため、作業員の熟練度を要し、危険な時間のかかる工事となっていた。また作業中、金車１２８が落下して通行人を傷付ける事故も発生しており、これに対する改善が強く望まれていた。
　【０００３】
　また、このハンガーによるケーブルの取り付けは、外的要因が作用して脱落や横ずれが発生し、ケーブルの適正な支持が損なわれて、ケーブルの特性に悪影響を及ぼす場合もあった。
　【０００４】
　【発明が解決しようとする課題】
　上記の事情に鑑み、本発明は、宙乗り作業をする必要のない安全工法で、しかも脱落や横ずれしないケーブル吊り下げ用螺旋状支持具の施工方法の提供を目的とする。
　【０００５】
　【課題を解決するための手段】
　本発明は、電柱間に張設したメッセンジャーワイヤーにケーブルを吊り下げる吊り下げ用螺旋状支持具の施工方法を次の工程から構成して課題解決の手段としている。
（１）一方の電柱付近において、上記メッセンジャーワイヤーに吊り下げられた先導滑車に、引綱の先端及び上記メッセンジャーワイヤーの
外径
ケーブルの外径
（２）上記螺旋状支持具に、上記メッセンジャーワイヤーと引綱とを挿通させるべく上記螺旋状支持具を
上記メッセンジャーワイヤーと引綱に巻回しながら装着し他方の電柱側に
（３）上記押し出す工程で押し出された上記螺旋状支持具の後端に、次の螺旋状支持具の先端をジョイントスリーブで結合する工程、
（４）先行の螺旋状支持具と同様に、上記メッセンジャーワイヤーと引綱とが次の上記螺旋状支持具に挿通されるように、順次各螺旋状支持具を上記ジョイントスリーブで結合しながら
上記メッセンジャーワイヤーと引綱に巻回して
（５）上記先導滑車が他方の電柱に達した状態で、最初と最後の上記螺旋状支持具を上記メッセンジャーワイヤーに固定するとともに、上記先導滑車から上記引綱と上記螺旋状支持具を外す工程、
（６）上記一方の電柱付近において、ケーブルの先端を上記引綱に結合し上記引綱を巻き上げ上記ケーブルを上記螺旋状支持具の中へ引き込む工程。
　また、本発明は、上記先導滑車に、上記メッセンジャーワイヤー上を転動するローラー滑車と上記引綱の先端を把持するサドルと上記螺旋状支持具の先端を把持するホルダーとを搭載し、下部にウエイトを吊着して課題解決の手段としている。
　【０００６】
　【発明の実施の態様】
　以下、本発明の実施例を図面に基づいて詳しく説明する。図１は本発明のケーブル吊り下げ用螺旋状支持具の施工方法の一実施例を示す略示側面図であり、図２は螺旋状支持具の結合と接続状態の一実施例を示す略示分解側面図である。また図３（イ）は本発明の施工方法に使用する螺旋状支持具の一実施例を示す側面図であり、図３（ロ）は図３（イ）をＡ〜Ａ線で切断した断面図である。さらに図４は本発明の施工方法によるジョイントスリーブの連結状態の一実施例を示す斜視図であり、さらにまた図５は本発明の施工方法による螺旋状支持具でメッセンジャーワイヤーにケーブルを取り付けた状態の一実施例を示す断面図である。そして図６（イ）は本発明の施工方法に使用するジョイントスリーブの一実施例を示す斜視図であり、図６（ロ）は図６（イ）をＢ−Ｂ線で切断した断面図である。そしてまた図７は本発明の施工方法による固定具の一実施例を取り付けた状態を示す略示側面図であり、そしてさらに図８（イ）は図１のＣの先導滑車部分を拡大した側面図であり、図８（ロ）は図８（イ）の左側からみた引綱と螺旋状支持具の嵌挿されていない状態を示す正面図である。
　【０００７】
　図１、図２に示すように、電柱１ａ，１ｂ間には、予めメッセンジャーワイヤー２がウインチ３にて張設されている。作業員４は、一方の電柱１ａ付近に設置したバケット５内に乗って螺旋状支持具の施工作業を行う。先ず、引綱６の先端７とケーブル吊り下げ用の一本目の螺旋状支持具８ａの一端９ａとを、先導滑車１０に結合する。この先導滑車１０は、予めメッセンジャーワイヤー２に転動自在に取り着けられている。
　【０００８】
　次に図３（イ）（ロ）に示すように、本発明の螺旋状支持具８は、心線１１の回りを合成樹脂材料で被覆１２しており、長手方向は螺旋形状１３に曲成した７５ｃｍまたは１００ｃｍの規定長に切断したものである。この螺旋状支持具の一端９には何も嵌挿していないが、他端１４には予めジョイントスリーブ１５の半分を残して嵌挿し、図４に示すような圧着工具１６により予め圧着しており、現場での手間を省くようにしている。またこの螺旋状支持具８の螺旋内径Ｄは、図５に示すように、メッセンジャーワイヤー２の外径ｄとケーブル１９の外径ｄ´の和より大きくしており、例えば２００％以上であることが好ましい。
　【０００９】
　本発明の施工方法に使用するジョイントスリーブ１５は、図６に示すようなもので、金属製のものからなっており、本実施例の場合はアルミニウムを使用している。この長手方向には貫通孔１７を穿設しており、これは螺旋状支持具８の断面外形に合わせた形となっている。この貫通孔１７は、本実施例の場合は、ストレートな穴になっていて、螺旋状支持具８の他端１４が半分まで嵌挿された形で圧着されている。
　【００１０】
　引綱６の先端７と螺旋状支持具８の一端９を先導滑車１０に結合した次の手順としては、螺旋状支持具８をメッセンジャーワイヤー２と引き綱６に巻回しながら装着し、他方の電柱１ｂ側に移送する。この時の螺旋状支持具８の螺旋内径Ｄは、前述の如く大径にしているので、先導滑車１０との作用でスムースに移送することができる。
　【００１１】
　この移送は、図２に示すように、やがて一本目の螺旋状支持具８ａの他端１４ａに達する。この一本目の螺旋状支持具８ａの他端１４ａには、ジョイントスリーブ１５が、図６（ロ）の貫通孔内の半分１７ａが嵌挿されている。従って、残り半分１７ｂの貫通孔内は空いているので、ここに二本目の螺旋状支持具８ｂの一端９ｂを嵌挿して、図４に示す圧着工具１６で圧着固定する。この接続による連結を繰り返す手順と、先の移送手順とを繰り返して、螺旋状支持具８の装着を進めてゆく。
　【００１２】
　この作業をすすめると、やがて一本目の螺旋状支持具８ａの一端９ａと引綱６の先端７を結合した先導滑車１０が、他方の電柱１ｂの位置に到達し、電柱１ａと電柱１ｂ間には、全ての螺旋状支持具８ａ〜８ｉ（図７）の装着が完了する。この時点で最初の螺旋状支持具８ａと最後の螺旋状支持具８ｉをメッセンジャーワイヤー２に、図７に示すような固定具１８，…，１８を使用して固定させてもよい。
　【００１３】
　固定具１８は、１個だけではなく、２〜３個取り付けて固定することが望ましい。この固定具１８は、本実施例の場合、金属製又は合成樹脂製巻バンド成形品からなるものを使用する。しかし、メッセンジャーワイヤー２と螺旋状支持具８に嵌合する、コの字状からなるスプリング形式のものを使用してもよい。
　【００１４】
　この状態で、電柱１ｂ側付近で先導滑車１０から引綱６の先端７と螺旋状支持具８ａの一端９ａを外した後、先導滑車１０をメッセンジャーワイヤー２から外して、引綱６の先端７をウインチ３に連結する。次に、図１に示すように電柱１ａ側で、引綱６の後端にケーブル１９を連結する。そこでウインチ３の力を借りて引綱６を巻き上げると、ケーブル１９が螺旋状支持具８の中へ引き込まれる。以上のような手順によって、本発明の施工方法を完了させることができる。
　【００１５】
　ここで本発明の先導滑車１０の構造について、詳しく説明する。図８の（ロ）に示すように、箱体２０とその下部連結棒２１にて吊着した錘２２とからなっている。箱体２０の右側にある外側面２０ａには、図８の（イ）に示す引綱６の先端７を嵌挿把持するサドル２３と、ケーブル吊り下げ用螺旋状支持具８の一端９を嵌挿把持するホルダー２４とを搭載している。サドル２３はリング状で、ホルダー２４は、螺旋状支持具８の断面形状に合わせた形状の筒体からなっている。
　【００１６】
　箱体２０には、図８の（ロ）に示すように、メッセンジャーワイヤー２上を転動するローラー滑車２５が設けられているが、箱体２０の左側にある側板２０ｂは、取り外し式になっているので、ローラー滑車２５は、軸に螺合させた蝶ナット２６によって、メッセンジャーワイヤー２に着脱自在な構造となっている。
　【００１７】
　また箱体２０の下部連結棒２１には、錘２２が吊着されているので、先導滑車１０は安定して反転しないように保たれる構造となっている。この錘２２は、上下にナット２７ａ，２７ｂが螺合され、錘２２はナット２７ｂを取り外せば、容易に交換できるようになっている。本実施例の場合は、８５ｇの錘を使用しているが、数種用意した錘の中から、風等の外的要因に対応して最適な錘がその都度選択される。
　【００１８】
　以上のような構造をもつ先導滑車１０は、引綱６とケーブル吊り下げ用螺旋状支持具８の結合作業を簡素化し、安定した移送を行うことができるので、本施工方法に役立つものとなっている。
　【００１９】
　【発明の効果】
　本発明の施工方法によると、危険な宙乗り作業をする必要がなくなり、電柱付近で一切の作業が出来るようになったので、ケーブル支持具としての螺旋状支持具の取付け施工は、安全に楽に行えるようになった。
　【００２０】
　また本発明の施工方法によると、金車等の布設治具を高所で取り付け・取り外しの作業がなくなり、通行人に対する部品落下の危険がなくなった。
　【００２１】
　本発明の施工方法によると、螺旋状支持具とジョイントスリーブの圧着固定法によって、また固定具による螺旋状支持具とメッセンジャーワイヤーの固定によって、横ずれや、脱落の欠点が解消された。
　【００２２】
　さらに、先導滑車を使用することで、螺旋状支持具施工時の反転や、引綱とメッセンジャーワイヤーのクロス現象を完全に防止できた。そして、安定した施工が行えるようになり、引綱及び螺旋状支持具の先端の結合作業も従来より簡素化することができた。
【図面の簡単な説明】
　【図１】
　本発明のケーブル吊り下げ用螺旋状支持具の施工方法の一実施例を示す略示側面図である。
　【図２】
　本発明の螺旋状支持具の結合と接続状態の一実施例を示す略示分解側面図である。
　【図３】
　（イ）は本発明の施工方法に使用する螺旋状支持具の一実施例を示す側面図であり、（ロ）は図３（イ）をＡ〜Ａ線で切断した断面図である。
　【図４】
　本発明の施工方法によるジョイントスリーブの連結状態の一実施例を示す斜視図である。
　【図５】
　本発明の施工方法による螺旋状支持具でメッセンジャーワイヤーにケーブルを取り付けた状態の一実施例を示す断面図である。
　【図６】
　（イ）は本発明の施工方法に使用するジョイントスリーブの一実施例を示す斜視図であり、（ロ）は図６（イ）をＢ−Ｂ線で切断した断面図である。
　【図７】
　本発明の施工方法による固定具の一実施例を取り付けた状態を示す略示側面図である。
　【図８】
　（イ）は、図１のＣの先導滑車部分を拡大した側面図であり、（ロ）は、図８（イ）の左側からみた引綱と螺旋状支持具の嵌挿されていない状態を示す正面図である。
　【図９】
　従来のケーブル吊り下げ用ハンガー方式の施工状態の一例を示す略示分解側面図である。
　【図１０】
　従来のケーブル吊り下げ用ハンガー方式による施工方法の一例を示す略示側面図である。
　【符号の説明】
　１ａ　　　　　　電柱
　１ｂ　　　　　　電柱
　２　　　　　　　メッセンジャーワイヤー
　３　　　　　　　ウインチ
　４　　　　　　　作業員
　５　　　　　　　バケット
　６　　　　　　　引綱
　７　　　　　　　引綱の先端
　８　　　　　　　螺旋状支持具
　８ａ　　　　　　一本目の螺旋状支持具
　８ｂ　　　　　　二本目の螺旋状支持具
　８ｉ　　　　　　ｉ番目の螺旋状支持具
　９　　　　　　　螺旋状支持具の一端
　９ａ　　　　　　一本目の螺旋状支持具の一端
　９ｂ　　　　　　二本目の螺旋状支持具の一端
　１０　　　　　　先導滑車
　１１　　　　　　螺旋状支持具の心線
　１２　　　　　　螺旋状支持具を被覆の合成樹脂
　１３　　　　　　螺旋状支持具の長手方向の螺旋形状
　１４　　　　　　螺旋状支持具の他端
　１４ａ　　　　　一本目の螺旋状支持具の他端
　１５　　　　　　ジョイントスリーブ
　１６　　　　　　ジョイントスリーブの圧着工具
　１７　　　　　　ジョイントスリーブの貫通孔
　１７ａ　　　　　貫通孔の半分
　１７ｂ　　　　　貫通孔の残り半分
　１８　　　　　　固定具
　１９　　　　　　ケーブル
　２０　　　　　　先導滑車の箱体
　２０ａ　　　　　先導滑車の箱体の外側面
　２１　　　　　　先導滑車の下部連結棒
　２２　　　　　　先導滑車の錘
　２３　　　　　　先導滑車のサドル
　２４　　　　　　先導滑車のホルダー
　２５　　　　　　先導滑車のローラー滑車
　２６　　　　　　先導滑車の蝶ナット
　２７ａ　　　　　先導滑車の上ナット
　２７ｂ　　　　　先導滑車の下ナット
　１００　　　　　ハンガー方式
　１０１ａ　　　　電柱
　１０１ｂ　　　　電柱
　１０２　　　　　メッセンジャーワイヤー
　１０３　　　　　ウインチ
　１０４　　　　　作業員
　１０６　　　　　引綱
　１０８　　　　　ハンガー
　１１９　　　　　ケーブル
　１２８　　　　　金車
　Ｄ　　　　　　　螺旋状支持具の螺旋内径
　ｄ　　　　　　　メッセンジャーワイヤーの外径
　ｄ´　　　　　　ケーブルの外径